(57)【要約】【課題】受信状況が変化しやすい環境において発生するブロックノイズによる不快感を処理負荷をかけることなく低減すること。【解決手段】デジタルテレビ放送波の受信状況を示す受信状況値を取得する受信状況値取得部と、入力映像のガンマ補正を行うガンマ補正部と、受信状況値取得部によって取得された受信状況値が第１の閾値より大きい場合に、ガンマ補正部に対して通常時のガンマ補正を示す通常用補正を行うように指示し、受信状況値が前記第１の閾値以下である場合に、ガンマ補正部に対して入力映像の明るさが通常時よりも暗くなるガンマ補正を示す例外用補正を行うように指示する補正指示部とを備えるように画像処理装置を構成する。【選択図】        図２
2010041573.tif 000002
【特許請求の範囲】
【請求項１】
デジタルテレビ放送波を復号することによって得られる入力映像を処理する画像処理装置であって、
前記デジタルテレビ放送波の受信状況を示す受信状況値を取得する受信状況値取得手段と、
前記入力映像のガンマ補正を行うガンマ補正手段と、
前記受信状況値取得手段によって取得された前記受信状況値が第１の閾値より大きい場合に、前記ガンマ補正手段に対して通常時のガンマ補正を示す通常用補正を行うように指示し、前記受信状況値が前記第１の閾値以下である場合に、前記ガンマ補正手段に対して前記入力映像の明るさが前記通常時よりも暗くなるガンマ補正を示す例外用補正を行うように指示する指示手段と
を備えたことを特徴とする画像処理装置。
【請求項２】
前記入力映像を停止する映像停止手段
をさらに備え、
前記指示手段は、
前記受信状況値が前記第１の閾値よりも小さい第２の閾値以下である場合に、前記映像停止手段に対して前記入力映像の停止を指示することを特徴とする請求項１に記載の画像処理装置。
【請求項３】
前記ガンマ補正手段は、
前記通常用補正に使用する通常用テーブルと、前記例外用補正に使用する例外用テーブルとを有しており、
前記指示手段は、
前記受信状況値が前記第１の閾値より大きい場合には前記通常用テーブルを、前記受信状況値が前記第１の閾値以下である場合には前記例外用テーブルを、それぞれ使用するように前記ガンマ補正手段に対して指示することを特徴とする請求項１または２に記載の画像処理装置。
【請求項４】
前記ガンマ補正手段は、
前記例外用テーブルとして、受信状況が悪化した場合に使用する悪化用テーブルと、受信状況が好転した場合に使用する好転用テーブルとを有しており、
前記指示手段は、
前記受信状況値が前記第１の閾値より大きい状態から前記第１の閾値以下へと変化した場合には前記悪化用テーブルを、前記受信状況値が前記第２の閾値以下から前記第２の閾値より大きい状態へと変化した場合には前記好転用テーブルを、それぞれ使用するように前記ガンマ補正手段に対して指示することを特徴とする請求項３に記載の画像処理装置。
【請求項５】
前記ガンマ補正手段は、
前記例外用テーブルとして、受信状況が悪化した場合に使用する悪化用テーブルと、受信状況が好転した場合に使用する好転用テーブルとを有しており、
前記指示手段は、
前記受信状況値が前記第１の閾値より大きい状態から前記第１の閾値以下へと変化した場合には前記悪化用テーブルを、記受信状況値が前記第２の閾値以下から前記第２の閾値より大きい状態へと変化した場合であって、前記受信状況値が前記第１の閾値よりも大きい第３の閾値以下である場合には前記好転用テーブルを、それぞれ使用するように前記ガンマ補正手段に対して指示することを特徴とする請求項３に記載の画像処理装置。
【発明の詳細な説明】
【技術分野】
【０００１】
この発明は、デジタルテレビ放送波を復号することによって得られる入力映像を処理する画像処理装置に関し、特に、受信状況が変化しやすい環境において発生するブロックノイズによる不快感を、処理負荷をかけることなく低減することができる画像処理装置に関する。
【背景技術】
【０００２】
近年、車載用ＤＴＶ（デジタルテレビジョン）受信機が普及してきている。ＤＴＶ放送波は、ＯＦＤＭ（Orthogonal  Frequency  Division  Multiplexing；直交周波数分割多重）方式に準拠しており、ＤＴＶ放送波から情報を復調する際には、いわゆる、ＯＦＤＭ復調を行う必要がある。
【０００３】
ところで、上記した車載用ＤＴＶ受信機の場合、車両の速度や向き、車両周辺の環境に応じて受信環境が絶えず変化する。したがって、ＤＴＶ（デジタルテレビジョン）の映像が途切れたり、ブロックノイズが発生したり、といった映像の乱れが発生する。
【０００４】
このため、ＤＴＶ映像の再生が困難となった場合には、直前の映像を静止映像として表示する技術が提案されている。また、特許文献１には、ＤＴＶ映像を構成する各色データを監視することでブロックノイズを検知し、各色データ自体を補正することでブロックノイズを軽減する技術が開示されている。
【０００５】
【特許文献１】特開２００４−２０８０３６号公報
【発明の開示】
【発明が解決しようとする課題】
【０００６】
しかしながら、直前の映像を静止映像として表示する技術を用いた場合には、かかる静止映像にブロックノイズが含まれていると視聴者はブロックノイズを含んだ映像を見続けることとなり、かえって視聴者に対する不快感を増長してしまうという問題がある。
【０００７】
また、ＤＴＶ放送波の受信状況が好転した場合には、静止映像から通常映像（動きがある映像）へ切り替えられることになるが、この切替時には、受信状況が万全ではないので特にブロックノイズが発生しやすくなるという問題もある。このため、特許文献１の技術を用いてブロックノイズを軽減することも考えられるが、ブロックノイズを軽減するための処理負荷が問題となる。
【０００８】
これらのことから、受信状況が変化しやすい環境において発生するブロックノイズを、処理負荷をかけることなく見えづらくすることができる画像処理装置をいかにして実現するかが大きな課題となっている。
【０００９】
本発明は、上述した従来技術による問題点を解消するためになされたものであり、受信状況が変化しやすい環境において発生するブロックノイズによる不快感を、処理負荷をかけることなく低減することができる画像処理装置を提供することを目的とする。
【課題を解決するための手段】
【００１０】
上述した課題を解決し、目的を達成するため、本発明は、デジタルテレビ放送波を復号することによって得られる入力映像を処理する画像処理装置であって、前記デジタルテレビ放送波の受信状況を示す受信状況値を取得する受信状況値取得手段と、前記入力映像のガンマ補正を行うガンマ補正手段と、前記受信状況値取得手段によって取得された前記受信状況値が第１の閾値より大きい場合に、前記ガンマ補正手段に対して通常時のガンマ補正を示す通常用補正を行うように指示し、前記受信状況値が前記第１の閾値以下である場合に、前記ガンマ補正手段に対して前記入力映像の明るさが前記通常時よりも暗くなるガンマ補正を示す例外用補正を行うように指示する指示手段とを備えたことを特徴とする。
【発明の効果】
【００１１】
本発明によれば、デジタルテレビ放送波の受信状況を示す受信状況値を取得する受信状況値取得手段と、入力映像のガンマ補正を行うガンマ補正手段と、受信状況値取得手段によって取得された受信状況値が第１の閾値より大きい場合に、ガンマ補正手段に対して通常時のガンマ補正を示す通常用補正を行うように指示し、受信状況値が前記第１の閾値以下である場合に、ガンマ補正手段に対して入力映像の明るさが通常時よりも暗くなるガンマ補正を示す例外用補正を行うように指示する指示手段とを備えるようにしたので、受信状況が不安定な場合に、入力映像を暗くするガンマ補正を行うことで、ブロックノイズを見えづらくすることができるという効果を奏する。これにより、ブロックノイズによる不快感を低減することが可能となる。また、入力映像を暗くするガンマ補正を行う手法は、画像解析によってブロックノイズを軽減する手法と比して必要とする処理コストが小さいため、処理負荷を低減することができるという効果を奏する。
【発明を実施するための最良の形態】
【００１２】
以下に添付図面を参照して、この発明に係る画像処理装置の好適な実施例を詳細に説明する。なお、以下では、本発明に係る画像処理手法の概要について図１を用いて説明した後に、本発明に係るフィルタ選択手法を適用した画像処理装置についての実施例を説明することとする。
【００１３】
まず、本発明に係る画像処理手法の概要について図１を用いて説明する。図１は、本発明に係る画像処理手法の概要を示す図である。本発明に係る画像処理手法は、放送波の受信状況が変化しやすい環境において発生するブロックノイズを、ガンマ補正における補正値の変更によって見えづらくすることで映像視聴時の不快感を軽減するものである。
【００１４】
従来、放送波の受信ができなくなった場合に、直前の映像を静止映像として表示させる技術が存在したが、かかる従来技術では、ブロックノイズを含んだ静止映像を視聴者へ提供してしまうという問題があった。特に、静止映像を表示中に放送波の受信状況が好転して通常の映像に切り替えた場合には、ブロックノイズがいっそう発生しやすいという問題もあった。これは、受信状況が好転したとの判定直後には、受信状況が不安定である場合が多いためである。
【００１５】
そこで、本発明に係る画像処理手法では、放送波受信状況の変化に応じ、受信状況が良好な場合には、通常用のガンマ補正、すなわち、ディスプレイなどの表示装置の特性に合わせたガンマ補正を行い、受信状況が悪化した場合には、例外用のガンマ補正、すなわち、映像を暗くするガンマ補正を行うこととした。
【００１６】
ここで、映像を暗くするガンマ補正では、視聴者が映像をやっと視認することができる程度に映像を極端に暗くするガンマ補正値を用いる。そして、さらに受信状況が悪化した場合には、従来と同様に、映像を停止する処理を行うこととした。
【００１７】
具体的には、放送波受信状況を示す受信状況値を、所定の閾値Ａおよび閾値Ｂと比較する。ここで、受信状況値の算出には、放送波の電界レベル、ＢＥＲ（Bit  Error  Ratio）、Ｃ／Ｎ（Carrier  To  Noise  Ratio）、ＴＳ（Transport  Stream）エラー信号等を用いることができる。また、同図に示すように、閾値Ａは、閾値Ｂよりも大きい閾値である。
【００１８】
本発明に係る画像処理手法では、受信状況値が閾値Ａよりも大きい場合には、通常用のガンマ補正を行い（同図の（１）参照）、受信状況値が閾値Ａ以下であって閾値Ｂよりも大きい場合には、例外用のガンマ補正（映像を暗くする）を行う（同図の（２）参照）。そして、受信状況値が閾値Ｂ以下である場合には、映像を停止する（同図の（３）参照）。
【００１９】
このように、本発明に係る画像処理手法では、通常用のガンマ補正を行う区間と、映像を停止する区間の間に、例外用のガンマ補正を行う区間を設けた。ここで、例外用のガンマ補正を行う区間は受信状況が不安定な区間であり、特に、ブロックノイズが発生しやすい区間といえるので、かかる区間において映像を暗くするガンマ補正を行うことで、ブロックノイズによる不快感を効果的に軽減することができる。
【００２０】
また、上記した例外用のガンマ補正は、例外用に調整したガンマ補正値を用いることで実現することができるため、画像解析によってブロックノイズを検出したうえでブロックノイズ自体を目立たないように加工する手法に比べ、処理負荷を軽減することができる。
【００２１】
以下では、本発明に係る画像処理手法を適用した画像処理装置についての実施例を説明する。なお、以下の実施例では、自動車などの移動体に設けられる画像処理装置について示すが、屋内や屋外に設置される受信装置や、携帯電話などのモバイル型端末に、本発明を適用することとしてもよい。
【実施例】
【００２２】
図２は、本実施例に係る画像処理装置１０の構成を示すブロック図である。同図に示すように、画像処理装置１０は、アンテナ１と、表示装置１００とに接続されており、復調部１１と、デコード部１２と、ガンマ補正処理部１３とを備えている。また、ガンマ補正処理部１３は、受信状況取得部１３ａと、補正指示部１３ｂと、映像入力部１３ｃと、ガンマ補正部１３ｄとをさらに備えている。
【００２３】
ここで、アンテナ１は、たとえば、車両のルーフ部分や窓部分に設置され、デジタルテレビジョン（ＤＴＶ）放送波を受信する。そして、受信した信号を画像処理装置１０へ出力する。表示装置１００は、液晶ディスプレイなどの表示装置であり、画像処理装置１０からの出力映像を表示する。なお、画像処理装置１０は、接続される表示装置１００の型式を検知し、検知した型式に最適なガンマ補正（通常用ガンマ補正）を行うものとする。
【００２４】
復調部１１は、アンテナ１から受け取った信号を復調して復調後のデータをデコード部１２へ渡す処理を行うとともに、放送波の受信状況をガンマ補正処理部１３の受信状況取得部１３ａへ通知する処理を行う処理部である。
【００２５】
ここで、復調部１１は、受信状況として、ＡＧＣ（Auto  Gain  Control）電圧レベルなどの電界レベル、ＢＥＲ（Bit  Error  Ratio）、Ｃ／Ｎ（Carrier  To  Noise  Ratio）、ＴＳ（Transport  Stream）エラー信号のいずれか、または、これらの任意の組み合わせを受信状況取得部１３ａへ通知するものとする。なお、ＴＳエラー信号は、Ａ階層（ワンセグ）、Ｂ階層（１２セグ）といった階層ごとに検出することができる。
【００２６】
デコード部１２は、復調部１１から受け取った復調後のデータを復号することで、入力映像を再生するとともに、再生した入力映像をガンマ補正処理部１３の映像入力部１３ｃへ渡す処理を行う処理部である。
【００２７】
ガンマ補正処理部１３は、復調部１１から受け取った受信状況に基づき、デコード部１２から受け取った入力映像についてガンマ補正処理を行う処理部である。具体的には、このガンマ補正処理部１３は、受信状況を示す受信状況値と所定の閾値とを比較することで、通常用ガンマ補正、例外用ガンマ補正あるいは映像停止のいずれかを選択する。
【００２８】
受信状況取得部１３ａは、復調部１１から受け取った受信状況から受信状況値を生成し、生成した受信状況値を補正指示部１３ｂへ渡す処理を行う処理部である。ここで、受信状況取得部１３ａは、復調部１１から受け取ったＢＥＲ（Bit  Error  Ratio）、Ｃ／Ｎ（Carrier  To  Noise  Ratio）といった受信状況をそのまま受信状況値として用いることとしてもよいし、受信状況を正規化などの所定の算出式に入力させることで受信状況値へ変換することとしてもよい。
【００２９】
補正指示部１３ｂは、受信状況取得部１３ａから受け取った受信状況値と所定の閾値とを比較することで、通常用ガンマ補正、例外用ガンマ補正あるいは映像停止のいずれかの選択指示を、ガンマ補正部１３ｄに対して通知する処理を行う処理部である。なお、この補正指示部１３ｂが行う指示の詳細については、図４などを用いて後述することとする。
【００３０】
映像入力部１３ｃは、デコード部１２から受け取った入力映像をガンマ補正部１３ｄへ渡す処理を行う処理部である。また、ガンマ補正部１３ｄは、映像入力部１３ｃから受け取った入力映像に対して補正指示部１３ｂから受け取った指示に対応する加工処理（ガンマ補正または映像停止）を行う処理部である。
【００３１】
なお、ガンマ補正部１３ｄは、通常用ガンマ補正を行うためのテーブルと、例外用ガンマ補正を行うテーブルとを有しており、これらのテーブルを切り替えるが、この点については図３などを用いて後述することとする。
【００３２】
なお、本実施例では、ガンマ補正部１３ｄがガンマ補正処理に加えて映像停止処理を行う場合について示しているが、映像停止処理を専用に行う処理部を設けることとし、補正指示部１３ｂが、映像停止処理を専用に行う処理部に対して映像停止を指示することとしてもよい。
【００３３】
次に、ガンマ補正部１３ｄが有するガンマ補正用テーブルについて図３を用いて説明する。図３は、ガンマ補正用テーブルの一例を示す図である。なお、同図の横軸は入力値（０〜２５５）を、縦軸は出力値（０〜２５５）を、それぞれ示している。また、同図には、参考のために通常用ガンマ補正曲線３１を破線で示しているが、ガンマ補正部１３ｄは、通常用ガンマ補正曲線３１についてのテーブルと、例外用ガンマ補正曲線３２についてのテーブルとを、有しているものとする。
【００３４】
また、ガンマ補正用テーブルは、たとえば、Ｒ（Red）信号、Ｇ（Green）信号、Ｂ（Blue）信号ごとにそれぞれ用意され、接続される表示装置１００の特性に合わせて切り替えられるものとする。
【００３５】
同図に示すように、通常用ガンマ補正曲線３１を用いると、信号値の全範囲（０〜２５５）にわたって入力値を出力値へ変換することができる。すなわち、かかる曲線の形状を表示装置１００の特性に応じて変更することで、表示装置１００では、適正な色彩表示を行うことができる。
【００３６】
ここで、例外用ガンマ補正曲線３２は、通常用ガンマ補正曲線３１よりも出力値が抑えられた形状のものを使用する。なお、同図では、出力値の最大が「１２８」の場合について例示しているが、最大値および曲線形状を同図とは異なるものとしてもよい。具体的には、表示装置１００の特性に応じ、表示される映像がぎりぎりで視認可能な状態となるように調整された例外用ガンマ補正曲線３２が用いられることになる。
【００３７】
次に、補正指示部１３ｂからの指示変更に伴う画像処理装置１０の動作について図４〜図６を用いて説明する。図４は、指示変更に伴う画像処理装置１０の動作例を示す図である。なお、同図の縦軸は受信状況値を、横軸は時間をそれぞれ示している。また、時間経過に伴う受信状況値の変化を受信状況値曲線４１として示している。
【００３８】
同図に示すように、補正指示部１３ｂは、所定の閾値Ａと、閾値Ａよりも小さい閾値Ｂとを用い、これらの閾値（閾値Ａおよび閾値Ｂ）と、受信状況取得部１３ａから受け取った受信状況値とを比較することで、指示内容を決定する。なお、以下では、時間経過の流れに沿って（同図の左側から右側に向かって）説明することとする。
【００３９】
受信状況値が閾値Ａよりも大きい場合、補正指示部１３ｂは、ガンマ補正部１３ｄに対して通常用ガンマ補正を行うように指示する（同図の「通常用γ補正区間」参照）。なお、通常用γ補正区間では、通常用ガンマ補正曲線３１を用いたガンマ補正が実行される。そして、受信状況値が閾値Ａ以下となったならば（同図の４１ａ参照）、補正指示部１３ｂは、ガンマ補正部１３ｄに対して例外用ガンマ補正を行うように指示する（同図の「例外用γ補正区間（１）」参照）。
【００４０】
例外用γ補正区間（１）において、ガンマ補正部１３ｄは、同図に示す例外用テーブル４５を使用して入力値を出力値へ変換する。なお、同図には、参考のため通常用ガンマ補正曲線３１を破線で示している。ガンマ補正部１３ｄは、例外用テーブル４５に示した例外用ガンマ補正曲線４５ａを用いてガンマ補正を行う。ここで、例外用ガンマ補正曲線４５ａは通常用ガンマ補正曲線３１に比べて出力が抑えられた形状であるので、ガンマ補正部１３ｄから出力される出力映像は、ブロックノイズが視認できない程度に暗い映像となる。
【００４１】
つづいて、受信状況値が閾値Ｂ以下となったならば（同図の４１ｂ参照）、補正指示部１３ｂは、ガンマ補正部１３ｄに対して映像停止処理を行うように指示する（同図の「映像停止区間」参照）。そして、受信状況値が閾値Ｂを上回るまで映像停止処理が継続される。なお、同図には、参考のため「従来の映像停止区間」（同図の４１ａと４１ｄとで挟まれた区間）を示している。
【００４２】
そして、受信状況値が閾値Ｂよりも大きくなった場合には（同図の４１ｃ参照）、補正指示部１３ｂは、ガンマ補正部１３ｄに対して例外用ガンマ補正を行うように指示する（同図の「例外用γ補正区間（２）」参照）。
【００４３】
例外用γ補正区間（２）において、ガンマ補正部１３ｄは、同図に示す例外用テーブル４６を使用して入力値を出力値へ変換する。なお、同図には、参考のため通常用ガンマ補正曲線３１を破線で示している。ガンマ補正部１３ｄは、例外用テーブル４６に示した例外用ガンマ補正曲線４６ａを用いてガンマ補正を行う。
【００４４】
ここで、例外用ガンマ補正曲線４６ａは、例外用γ補正区間（１）で用いられる例外用ガンマ補正曲線４５ａに比べて出力が抑えられた形状となっている。これは、受信状況が悪い状態から好転した場合に、受信状況が不安定な場合が多くブロックノイズが出やすいためである。このように、より出力を抑えた例外用ガンマ補正曲線４６ａを用いることで、ブロックノイズが出やすい区間であっても、ブロックノイズを見えづらくすることができる。
【００４５】
そして、受信状況値が再び閾値Ａよりも大きくなった場合には（同図の４１ｄ参照）、補正指示部１３ｂは、ガンマ補正部１３ｄに対して通常用ガンマ補正を行うように指示する（同図の「通常用γ補正区間」参照）。そして、この通常用γ補正区間においても、通常用ガンマ補正曲線３１を用いたガンマ補正が実行される。
【００４６】
なお、図４においては、例外用γ補正区間（１）と例外用γ補正区間（２）とで、異なるガンマ補正を行う場合について示したが、両区間において同一のガンマ補正を行うこととしてもよい。また、図４においては、閾値Ａおよび閾値Ｂを静的な閾値として示したが、各閾値を動的に補正することとしてもよい。たとえば、受信状況値の変化状況を学習し、受信状況値の分散に基づいて各閾値を変動させることとしてもよい。
【００４７】
ところで、図４では、通常用γ補正区間から例外用γ補正区間（１）へ入る場合の閾値と、例外用γ補正区間（２）から通常用γ補正区間へ入る場合の閾値とが同一の閾値Ａである場合について示したが、両閾値を異なるものとしてしてもよい。そこで、図５では、通常用γ補正区間から例外用γ補正区間（１）へ入る際の閾値と、例外用γ補正区間（２）から通常用γ補正区間へ入る際の閾値とを異なる閾値とした場合について説明する。
【００４８】
図５は、画像処理装置１０の動作の変形例その１を示す図である。なお、図５では、図４と同一の部分については同一の符号を付し、同一部分についての説明を省略することとする。
【００４９】
図５では、新たに閾値Ｃが設けられている点で図４とは異なる。ここで、閾値Ｃは、閾値Ａよりも大きな閾値であり、例外用γ補正区間（２）から通常用γ補正区間へ入る場合（同図の５１ａ参照）の判定用閾値として用いられる。
【００５０】
このように、例外用ガンマ補正を開始する場合の閾値よりも、例外用ガンマ補正を終了する場合の閾値を大きな値とすることで、例外用ガンマ補正を開始しやすく例外用ガンマ補正を終了しにくい、すなわち、いったん例外用ガンマ補正を開始した場合に例外用ガンマ補正を継続する傾向を持たせることができる。これにより、映像の明るさが頻繁に明暗を繰り返すことを防止することが可能となる。
【００５１】
ところで、図５では、例外用γ補正区間の開始閾値と終了閾値とを異なる閾値とした場合について示したが、映像停止区間の開始閾値と終了閾値とを異なる閾値とすることとしてもよい。そこで、図６では、例外用γ補正区間（１）から映像停止区間に入る際の閾値と、映像停止区間から例外用γ補正区間（２）へ入る際の閾値とを異なる閾値とした場合について説明する。
【００５２】
図６は、画像処理装置１０の動作の変形例その２を示す図である。なお、図６では、図５と同一の部分については同一の符号を付し、同一部分についての説明を省略することとする。
【００５３】
図６では、新たに閾値Ｄが設けられている点で図５とは異なる。ここで、閾値Ｄは、閾値Ｂよりも大きく、閾値Ａよりも小さい閾値であり、映像停止区間から例外用γ補正区間（２）へ入る場合（同図の６１ａ参照）の判定用閾値として用いられる。
【００５４】
このように、映像停止を開始する場合の閾値よりも、映像停止を終了する場合の閾値を大きな値とすることで、映像停止を開始しやすく映像停止を終了しにくい、すなわち、いったん映像停止を開始した場合に映像停止を継続する傾向を持たせることができる。これにより、映像停止と映像停止解除とが頻繁に繰り返されることを防止することが可能となる。
【００５５】
次に、画像処理装置１０が実行する処理手順について図７を用いて説明する。図７は、画像処理装置１０が実行する処理手順を示すフローチャートである。なお、図７に示す閾値Ａは、図４などと同様に、閾値Ｂよりも大きいものとする。
【００５６】
同図に示すように、所定時間のウェイト処理を経て（ステップＳ１０１）、補正指示部１３ｂは、受信状況取得部１３ａから受信状況値を取得する（ステップＳ１０２）。なお、ステップＳ１０１において所定時間にわたるウェイト処理を行うのは、通常用ガンマ補正、例外用ガンマ補正あるいは映像停止が頻繁に切り替わることを防止するためである。
【００５７】
つづいて、補正指示部１３ｂは、受信状況値が閾値Ａよりも大きいか否かを判定する（ステップＳ１０３）。そして、受信状況値が閾値Ａよりも大きい場合には（ステップＳ１０３，Ｙｅｓ）、通常用ガンマ補正を行うようにガンマ補正部１３ｄに対して指示する。この指示を受けたガンマ補正部１３ｄは、通常用ガンマ補正を行い（ステップＳ１０４）、映像出力を行ったうえで（ステップＳ１０５）、ステップＳ１０１以降の処理を繰り返す。
【００５８】
一方、ステップＳ１０３の判定状況を満たさなかった場合には（ステップＳ１０３，Ｎｏ）、つづいて、受信状況値が閾値Ｂよりも大きいか否かを判定する（ステップＳ１０６）。そして、受信状況値が閾値Ｂよりも大きい場合には（ステップＳ１０６，Ｙｅｓ）、補正指示部１３ｂは、例外用ガンマ補正を行うようにガンマ補正部１３ｄに対して指示する。
【００５９】
この指示を受けたガンマ補正部１３ｄは、例外用ガンマ補正を行い（ステップＳ１０７）、映像出力を行ったうえで（ステップＳ１０８）、ステップＳ１０１以降の処理を繰り返す。なお、ステップＳ１０６の判定条件を満たさなかった場合には（ステップＳ１０６，Ｎｏ）、映像停止を行ったうえで（ステップＳ１０９）、ステップＳ１０１以降の処理を繰り返す。
【００６０】
上述してきたように、本実施例では、デジタルテレビ放送波の受信状況を示す受信状況値を取得する受信状況値取得部と、画像処理装置に接続された表示装置の種類に応じて入力映像のガンマ補正を行うガンマ補正部と、受信状況値取得部によって取得された受信状況値が第１の閾値より大きい場合に、ガンマ補正部に対して通常時のガンマ補正を示す通常用補正を行うように指示し、受信状況値が前記第１の閾値以下である場合に、ガンマ補正部に対して入力映像の明るさが通常時よりも暗くなるガンマ補正を示す例外用補正を行うように指示する補正指示部とを備えるように画像処理装置を構成した。
【００６１】
したがって、受信状況が不安定な場合に、入力映像を暗くするガンマ補正を行うことで、ブロックノイズを見えづらくすることができる。これにより、ブロックノイズによる不快感を低減することが可能となる。また、入力映像を暗くするガンマ補正を行う手法は、画像解析によってブロックノイズを軽減する手法と比して必要とする処理コストが小さいため、処理負荷を低減することができる。
【００６２】
なお、上述した実施例では、放送波の電界レベル、ＢＥＲ（Bit  Error  Ratio）、Ｃ／Ｎ（Carrier  To  Noise  Ratio）、ＴＳ（Transport  Stream）エラー信号などに基づいて受信状況値を算出する場合について説明したが、車両速度に基づいて受信状況値を算出することとしてもよい。たとえば、車両速度が高速である場合には、受信率低下の可能性が大きいと考えられるので、受信状況値を小さな値として算出することとすればよい。
【産業上の利用可能性】
【００６３】
以上のように、本発明に係る画像処理装置は、受信状況が変化しやすい環境において発生するブロックノイズによる不快感を低減したい場合に有用であり、特に、処理負荷をかけることなくブロックノイズによる不快感を低減したい場合に適している。
【図面の簡単な説明】
【００６４】
【図１】本発明に係る画像処理手法の概要を示す図である。
【図２】本実施例に係る画像処理装置の構成を示すブロック図である。
【図３】ガンマ補正用テーブルの一例を示す図である。
【図４】指示変更に伴う画像処理装置の動作例を示す図である。
【図５】画像処理装置の動作の変形例その１を示す図である。
【図６】画像処理装置の動作の変形例その２を示す図である。
【図７】画像処理装置が実行する処理手順を示すフローチャートである。
【符号の説明】
【００６５】
１    アンテナ
１０    画像処理装置
１１    復調部
１２    デコード部
１３    ガンマ補正処理部
１３ａ  受信状況取得部
１３ｂ  補正指示部
１３ｃ  映像入力部
１３ｄ  ガンマ補正部
１００    表示装置
【図１】
2010041573.tif 000003
【図２】
2010041573.tif 000004
【図３】
2010041573.tif 000005
【図４】
2010041573.tif 000006
【図５】
2010041573.tif 000007
【図６】
2010041573.tif 000008
【図７】
2010041573.tif 000009